(57)【要約】【課題】二次電池で発生したガスを排出させるための通気路を通過した水が駆動機構に影響を与えないようにする。【解決手段】二次電池１８及びこの二次電池１８により作動する駆動機構としての往復駆動手段１２が収容された防水型ケース３０を有し、この防水型ケース３０が、前記往復駆動手段１２が収容される密閉空間３７Ａを有する機構ケース３７と、前記二次電池１８が収容される内部空間３６Ａを有し且つ多孔質材４２を介して大気開放する通気路４１が設けられた電池ケース３６とを備えると共に、前記機構ケース３７の密閉空間３７Ａと前記電池ケース３６の内部空間を独立させたことで、前記往復駆動手段１２が作動して前記密閉空間３７Ａの内圧が変動しても、この密閉空間３７Ａに気液問わず水を侵入させないようにすることができる一方、前記二次電池１８から発生したガスを外部に放出することができる。【選択図】図３
2011044366.tif 000002
【特許請求の範囲】
【請求項１】
防水型ケースと、この防水型ケースに収容される二次電池と、前記防水型ケースに収容されると共に前記二次電池により作動する駆動機構とを有する防水型電気機器において、
前記防水型ケースが、前記駆動機構が収容される密閉空間を有する機構ケースと、この機構ケースの密閉空間とは独立した内部空間を有し且つ前記二次電池が収容される電池ケースとを備えると共に、前記電池ケースに、多孔質材を介して大気開放する通気路が設けられることを特徴とする防水型電気機器。
【請求項２】
前記防水型ケースの外側に外装ケースが設けられたことを特徴とする請求項１記載の防水型電気機器。
【請求項３】
前記機構ケースと前記電池ケースとを一体的に構成したことを特徴とする請求項１又は２の何れか一項記載の防水型電気機器。
【発明の詳細な説明】
【技術分野】
【０００１】
本発明は、防水型電気機器に関するものであり、特に、二次電池を内蔵し且つこの二次電池の電力によって機械的に作動する駆動機構を有する防水型電気機器に関するものである。
【背景技術】
【０００２】
従来、この種の防水型電気機器として、駆動部と、この駆動部によって動作する施療部とを有し、前記駆動部に、前記施療部の基板の周縁を前記駆動部に対する位置関係が固定された状態で着脱自在に保持する枠体を設けると共に、前記基板の中心に接続して該基板の面と交差する方向にこの基板を撓ませる往復駆動手段（本発明の駆動機構に相当する）及び二次電池が設けられ、前記施療部が、可撓性を有する材質から成る前記基板と、この基板に突出して設けられた複数の突起とで構成されるマッサージ装置が知られている。そして、このマッサージ装置では、使用者は、駆動部を把握し、突起の先端部を頭皮に押し当てて手で保持し、前記往復駆動手段によって前記施療部の基板を撓ませることで、この基板の撓みに伴って、この基板に設けられた複数の前記突起を繰り返し倒したり起こしたりさせることで相互に開閉させ、これらの相互に開閉する突起によって、揉んだり擦ったり叩いたりするように、頭皮を複雑にマッサージすることができる。これは、図９及び図１０に示すように、駆動部１０１により駆動される施療部１０２における基板１０３が下に撓んだ湾曲凸状態と上に撓んだ湾曲凹状態との間で変形を繰り返す際、中心側から周辺側に配置された複数種類の突起１０４，１０５が、前記基板１０３の撓みに伴って動くことで、頭皮Ｓに押し当てられた前記突起１０４，１０５によって頭皮Ｓを指先で行うようにマッサージすることができるというものであり、基板１０３の外周は枠体１０６に取り付けられており、また基板１０３とその上方にある伸縮可能な覆い体１０７との間に、例えば洗髪用シャンプーの収容体１０８を設け、この収容体１０８は、弾性体である連続気泡型の発泡ポリウレタンや発泡ゴム等から成る合成スポンジ或いは海綿（即ち天然スポンジ）等によって形成されており、図９に示すように、基板１０３が下に撓んだ湾曲凸状態のときに、収容体１０８はほぼ非圧縮状態或いはやや圧縮状態となり、一方、図１０に示すように基板１０３が上に撓んだ湾曲凹状態のときに、収容体１０８は圧縮状態となり、洗髪用シャンプーを突起１０５に設けた連通部１０９より外部に噴出させるようになっているものである（例えば特許文献１）。
【０００３】
また、このような電動式ブラシ装置において、駆動部の枠体に対して基板の縁を摺動自在に設けたものも知られている（例えば特許文献２）。
【先行技術文献】
【特許文献】
【０００４】
【特許文献１】特開２００８−２２８９２２号公報
【特許文献２】特開２００６−１８７５４４号公報
【発明の概要】
【発明が解決しようとする課題】
【０００５】
従来技術では、前記駆動機構や二次電池はケースにそれぞれ収容される。なお、上述したように、前記マッサージ装置は、頭皮の洗浄やマッサージ等に使用されるので、浴室や洗面所のように、湯気が多い環境で使用されたり、水に濡れる虞のある環境で使用されたりする。このため、水滴或いは湯気が前記ケース内に入り込んで前記駆動機構や二次電池等に悪影響を与えないようにするため、防水型のケースに前記駆動機構や二次電池が収納されていた。なお、二次電池としてニッケル水素二次電池等を用いる場合、ガスが発生する虞があるので、このガスが前記ケース内に充満しないようにするため、通気路を介して前記ケース内を外部と連通させる必要がある。そして、前記通気路を介して水滴や湯気が前記ケース内に流入しないように、前記通気路に多孔質材が設けられる。
【０００６】
しかしながら、前記多孔質材は、液体状の水を遮断することができるものの、気体状の水を通過させてしまう。このため、長期間使用することで、気体状の水が前記多孔質材を通過して前記ケース内に侵入し、この中で結露して液体状の水が蓄積されてしまい、前記駆動機構に悪影響を与えてしまう虞があった。これは特に、前記駆動機構が機械的に動作することで、前記ケース内空間の容積が変動して、気体が前記通気路から出入りするマッサージ装置において顕著である。
【０００７】
本発明は以上の問題点を解決し、二次電池で発生したガスを排出させるための通気路を通過した水が駆動機構に影響を与えないようにすることができる防水型電気機器を提供することを目的とする。
【課題を解決するための手段】
【０００８】
請求項１の発明は、防水型ケースと、この防水型ケースに収容される二次電池と、前記防水型ケースに収容されると共に前記二次電池により作動する駆動機構とを有する防水型電気機器において、前記防水型ケースが、前記駆動機構が収容される密閉空間を有する機構ケースと、この機構ケースの密閉空間とは独立した内部空間を有し且つ前記二次電池が収容される電池ケースとを備えると共に、前記電池ケースに、多孔質材を介して大気開放する通気路が設けられることを特徴とする防水型電気機器である。
【０００９】
また、請求項２の発明は、前記防水型ケースの外側に外装ケースが設けられたことを特徴とする請求項１記載の防水型電気機器である。
【００１０】
更に、請求項３の発明は、前記機構ケースと前記電池ケースとを一体的に構成したことを特徴とする請求項１又は２の何れか一項記載の防水型電気機器である。
【発明の効果】
【００１１】
請求項１の発明によれば、前記駆動機構が前記機構ケースの密封空間に収容されることで、この密封空間内に水が侵入しないので、前記駆動機構が水により悪影響を受けることがなく、また、二次電池が前記機構ケースの密閉空間とは独立した内部空間を有する電池ケースに収容されることで、通気路の多孔質材によって液体状の水を遮断し、しかも、通気路を介して二次電池より発生したガスを排気することができる。
【００１２】
また、前記防水型ケースの外側に外装ケースが設けられたことで、前記駆動機構の構造や形状に依らず、前記防水型電気機器を操作或いは把握し易い形状にする等、形状、デザインの自由度を向上させることができる。
【００１３】
更に、前記機構ケースと前記電池ケースとを一体的に構成したことで、前記ケースの強度を高く保つことができる。
【図面の簡単な説明】
【００１４】
【図１】本発明の実施例１を示す上方からの全体斜視図である。
【図２】同、下方からの全体斜視図である。
【図３】同、断面図である。
【図４】同、枠体周りの分解斜視図である。
【図５】同、ブラシ部周りの分解斜視図である。
【図６】同、電池ケースの要部の拡大断面図である。
【図７】同、電池ケース周りの分解斜視図である。
【図８】同、電池ケースの下側の斜視図である。
【図９】従来例を示す湾曲凸状態のブラシ部周りの断面図である。
【図１０】従来例を示す湾曲凹状態のブラシ部周りの断面図である。
【発明を実施するための最良の形態】
【００１５】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
図１〜図８は実施例１を示している。なお、本例においては、図３の静止した姿勢を基準として上下を規定する。１は本発明の防水型電気機器としての電動式ブラシ装置である。この電動式ブラシ装置１は、装置本体２と、この装置本体２の下部側に着脱自在に保持されるブラシ部３とを有して構成されている。
【００１７】
そして、前記ブラシ部３は、基板４と、この基板４の下面である表面４Ｓと交差する方向である下方側に突出して一体に設けられた複数の突起５とで構成されている。なお、前記基板４は、前記装置本体２に取り付けられていない自然状態において、前記突起５が突出した表面４Ｓ側が凸となるように形成されている。また、前記基板４は、平面視で楕円状であって、可撓性及び弾性を有するエラストマーによって形成されている。また、複数の前記突起５も前記基板４と一体的に設けられている。そして、前記基板４の縁４Ａは、前記装置本体２と一体的に形成された底面部２Ｂ側に設けられた枠体６の縁に固定されている。なお、ここで言う「固定」とは、多少の動きを許容して接続される状態を含むものであり、本実施例では、前記基板４の縁４Ａを前記枠体６に嵌合させることで、両者を全周に亘って着脱自在に接続している。また、図中４Ｈは、前記基板４と一体に設けられた摘みである。
【００１８】
前記枠体６は、前記ブラシ部３を構成するエラストマーほど変形し易くはないものの、弾性変形可能な合成樹脂製であり、平面視で前記基板４とほぼ一致するような楕円環状に形成されている。そして、前記中心軸線Ｘ上に、平面視における前記枠体６の中心が配置されている。また、前記枠体６は、前記装置本体２の底面部２Ｂから隙間を隔ててやや下方に設けられている。更に、前記枠体６は、前記装置本体２に対して支持手段７を介して揺動自在に設けられている。
【００１９】
そして、前記枠体６の形状は、この枠体６の長径方向においては、中心軸線Ｘの通る中心部側となる内側部６Ａよりも、反中心部側となる外側部６Ｂが装置本体２から離間するように、ほぼ円弧状に形成されている。一方、前記枠体６は、短径方向においては平坦に形成されている。また、前記枠体６の外側部６Ｂの外縁６Ｃには、下向きの小突部が形成されている。そして、前記ブラシ部３の基板４の折り返された前記縁４Ａが、前記枠体６の外縁６Ｃに嵌合している。なお、前記枠体６の内側に形成された窓孔６Ｄは、中心軸線Ｘを中心とした平面視円形であって、この窓孔６Ｄと外装ケース２Ａの底面部２Ｂとの間には、エラストマー等の可撓性及び弾性を有する材質から成る後述するパッキン２３が設けられている。
【００２０】
前記支持手段７は、軸８と、軸受部８Ａとで構成されている。そして、前記軸８は、前記装置本体２の底面部２Ｂを構成する底板９の左右にそれぞれ設けられている。一方、前記軸８を受ける前記軸受部８Ａは、前記枠体６の左右にそれぞれ設けられている。そして、前記吊下部材６Ｆの上部に設けられた前記軸受部８Ａは、前記軸８によって回動自在に接続され、これにより、前記枠体６は前記軸８を回動中心として揺動できるようになっている。なお、図中８Ｂは、前記軸受部８Ａの外側を覆う蓋板を示している。
【００２１】
前記装置本体２は、防水型ケース３０と、このケース３０の外側を覆う前記外装ケース２Ａとを有して構成されている。前記外装ケース２Ａは、底面側が開口すると共に片手で把握可能な大きさを有する。そして、前記外装ケース２Ａの底面側の開口は、前記装置本体２の底面部２Ｂにより閉塞されている。この底面部２Ｂは、前記底板９と覆い体１１とを有する。そして、前記底板９は、平面視において前記枠６と外形がほぼ等しい楕円状に形成されており、前記ケース２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられているもので、その外縁を前記ケース３０のケース本体３１と前記底板９とで挟持することで、前記底板９に対し気密に接続されている。
【００２２】
そして、前記装置本体２の内部に設けられた前記ケース３０には、前記基板４の中心部Ｏを上下方向に往復動させる駆動機構としての往復駆動手段１２が設けられている。この往復駆動手段１２は、モータ１３と、このモータ１３のモータ軸（図示せず）に減速歯車機構１４を介して接続されるクランク１５と、このクランク１５の偏心軸１５Ａと結合したヨーク１６と、このヨーク１６と一体に形成されたロッド１６Ａを備えている。このように、本実施例では、所謂スコッチ・ヨーク機構を採用したが、クランク機構を採用してもよい。
【００２３】
なお、前記覆い体１１のほぼ中央には、接続中継部材１７が一体的に取り付けられている。この接続中継部材１７は、その上面側と前記ロッド１６Ａの下端とで前記覆い体１１を挟持して水密に固定すると共に、その下面側にフック１７Ａが設けられており、このフック１７Ａに、前記基板４中央の上面に設けられたフック受け部４Ｂが着脱自在に接続されている。従って、前記接続中継部材１７は、前記モータ１３の回転運動が前記クランク１５とヨーク１６とで往復運動に変換されることで、上下方向に往復運動するようになっている。これにより、前記フック受け部４Ｂが設けられた位置が、前記基板４における最大振幅部となり、その振幅は、前記クランク１５の中心軸から前記偏心軸１５Ａまでの偏心距離Ｆの２倍（２Ｆ）となる。また、前記フック受け部４Ｂ及び接続中継部材１７は、中心軸線Ｘ上に配置される。
【００２４】
また、前記装置本体２のケース３０の内部には、前記モータ１３に電力を供給するための二次電池１８が収容されている。なお、この二次電池１８としては、例えばニッケル水素二次電池が用いられる。更に、前記装置本体２の外装ケース２Ａの上面側表面には、中心軸線Ｘより一方へ偏って、貫通孔２Ｃが形成されており、この貫通孔２Ｃから前記モータ１３を操作するためのスイッチボタン１９が露出している。なお、以後、中心軸線Ｘよりスイッチボタン１９側を前方、スイッチボタン１９と反対側を後方、これら前後方向に対して直交する方向を左右方向という。
【００２５】
次に、前記ケース３０について説明する。前記ケース３０は、使用者が把握する外装ケース２Ａの内側に、該外装ケース２Ａに沿うように配置されるシャシー等と称されるものである。前記ケース３０は、前記底板９と、この底板９上に設けられると共に外側が前記外装ケース２Ａに沿うように設けられるケース本体３１と、このケース本体３１の上方を覆うように設けられる外蓋体３２と、この外蓋体３２の前方にインサート成形されると共に透光性を有し前記貫通孔２Ｃから露出する表示カバー３３と、内蓋体３４と、シール材３５によって構成されている。前記ケース本体３１は、隔壁３１Ａによって電池収容部３１Ｂと機構収容部３１Ｃに区画されており、前記電池収納部３１Ｂと機構収納部３１Ｃは一体である。そして、前記電池収容部３１Ｂと、シール材３５と、内蓋体３４によって、電池ケース３６が構成されると共に、前記底板９と、覆い体１１と、機構収容部３１Ｃと、シール材３５と、内蓋体３４と、外蓋体３２と、表示カバー３３とで、機構ケース３７が構成される。即ち、前記電池ケース３６と機構ケース３７は、共通の部材により一体的且つ不可分に構成されている。なお、前記ケース本体３１の開口縁に前記シール材３５を乗せ、前記電池収容部３１Ａを覆うように前記内蓋体３４を乗せた状態で、前記外蓋体３２を前記ケース本体３１に取り付けることで、前記内蓋体３４は前記シール材３５を介して前記電池収容部３１Ａに押し付けられる。即ち、前記内蓋体３４は、前記ケース本体３１と外蓋体３２によって挟持される。このようにして、前記電池ケース３６が画定される。一方、前記ケース３０のうち、前記電池ケース３６以外の部分が前記機構ケース３７として画定される。このような構造にすることで、前記電池ケース３６と機構ケース３７を容易に画定することができる。
【００２６】
そして、前記電池ケース３６内の空間３６Ａに、前記二次電池１８が収容される。また、前記内蓋体３４には、前記二次電池１８を回路基板２０に接続するためのリード線３８を引き出すための貫通孔３４Ａが形成されており、この貫通孔３４Ａには前記リード線３８と共にシール材３９が充填されている。また、前記電池収容部３１Ｂと内蓋体３４は、前記シール材３５によってシールされている。
【００２７】
そして、前記機構ケース３７の密閉空間３７Ａに、前記往復駆動手段１２及び回路基板２０が収容される。即ち、前記密閉空間３７Ａには、前記往復駆動手段１２を構成するモータ１３、減速歯車機構１４、クランク１５及び前記ヨーク１６のロッド１６Ａが収容されている。また、前記ケース本体３１と外蓋体３２は、前記シール材３５によってシールされている。更に、前記機構収容部３１Ｃには、前記二次電池１８の充電用接続端子４０が露出している。
【００２８】
また、電池収容部３１Ｂには、一次側４１Ａが前記空間３６Ａに連通し、中間に膜状の多孔質材４２が設けられ、二次側４１Ｂが大気開放した通気路４１が形成されている。なお、前記多孔質材４２は、気体を通過させることが可能であり、一方、液体を通過させることが不可能である。従って、水は、例え霧状（即ち細かい水滴）であったとしても、前記多孔質材４２を通過することができない。そして、前記電池収容部３１Ｂの底面部には、下方へ凹状となる凹部３１Ｄが形成されており、この凹部３１Ｄに多孔質材４２が収容される。なお、前記多孔質材４２は、貫通孔４３Ａ，４４Ａが形成された取付体４３，４４に、これらの貫通孔４３Ａ，４４Ａを塞ぐように、それぞれ貼り付けられている。そして、これらの取付体４３，４４は、前記凹部３１Ｄに収容された状態で、蓋板４５とケース本体３１の間に挟持される。また、前記蓋板４５は、ビス４６によって前記電池収容部３１Ｂの底面部側に固定されている。そして、前記通気路４１の一次側４１Ａとなる貫通孔４５Ａが、前記蓋板４５に形成されていると共に、前記通気路４１の二次側４１Ｂとなる貫通孔３１Ｅが、前記電池収容部３１Ｂの凹部３１Ｄに形成されている。従って、前記通気路４１は、その一次側４１Ａから前記貫通孔４５Ａ、貫通孔４３Ａ、多孔質材４２，４２、貫通孔４４Ａ、貫通孔３１Ｅを介して二次側４１Ｂに至るようになっている。そして、前記二次側４１Ｂから排気されたガスは、前記外装ケース２Ａの内部から、隙間（図示せず）を介して大気中に放出される。
【００２９】
更に、前記内蓋体３４の上部には、前記回路基板２０が取り付けられている。そして、前記回路基板２０における前記スイッチボタン１９の下方に、このスイッチボタン１９に応動するスイッチ２１が実装されている。なお、前記回路基板２０の前部には、発光素子２２が実装されており、この発光素子２２の光が、前記表示カバー３３を介して視認可能となっている。
【００３０】
このように、前記往復駆動手段１２や二次電池１８、回路基板２０等が収容された前記ケース３０の外側を覆うように、前記外装ケース２Ａが設けられているので、前記往復駆動手段１２や二次電池１８の構造や形状、大きさに依らず、前記電動式ブラシ装置１を操作或いは把握し易い形状にすることができる。また、前記電池ケース３６と機構ケース３７とを一体的に構成したことで、前記ケース３０の強度を高く保つことができる。更に、一体的に構成された前記ケース３０の周囲を覆うように前記外装ケース２Ａを取り付けることで、前記電動式ブラシ装置１が構成されるので、前記電池ケース３６と機構ケース３７とを個別に前記外装ケース２Ａ内に装着する必要がなく、前記電動式ブラシ装置１を容易に製造することができる。
【００３１】
次に、前記パッキン２３について説明する。このパッキン２３は、例えばゴム或いは合成ゴムやエラストマー等の可撓性を有する材質から成り、前記中心軸線Ｘを中心とした平面視が円形となるリング状である。そして、前記パッキン２３の上部２３Ａは、前記底板９の窓孔１０の縁となる内周面９Ａに線接触状に圧接して、両者を気密に接続して後述する拡縮空間２９を画定している。そして、後述するように、前記基板４が下に撓んだ湾曲凸状態と上に撓んだ湾曲凹状態との間で変形を繰り返す時や、前記軸８を中心として前記枠体６が揺動した時において、前記パッキン２３の上部２３Ａが前記内周面９Ａより逸脱しないようになっている。一方、前記パッキン２３の下部２３Ｂは、インサート成形によって、前記枠体６の内側部６Ａと一体的に形成されている。
【００３２】
更に、前記基板４には、前記枠体６と、この枠体６の上方に接続された前記パッキン２３と、このパッキン２３が当接した前記底板９と、前記底板９に対し気密に接続された前記覆い体１１と、前記枠体６の下方に接続された前記基板４とで囲まれる拡縮空間２９とその外部を連通する小貫通孔状の第一連通部２４及び第二連通部２５が設けられる。そして、前記拡縮空間２９には、前記各連通部２４，２５に連通すると共に前記基板４の撓みに応動する液状洗剤としてのシャンプーの収容体２６が設けられる。また、前記中心軸線Ｘを中心として、複数の小突起２７が前記基板４の表面４Ｓに環状に並べて設けられていると共に、これらの小突起２７同士を接続するように、環状壁２８が設けられている。なお、前記小突起２７と環状壁２８によって、前記基板４が中央部と外周部に区画される。そして、前記第二連通部２５は、前記小突起２７と環状壁２８によって囲まれた区域に形成されている。一方、前記第一連通部２４は、前記小突起２７と環状壁２８の外側の区域に形成されている。
【００３３】
前記収容体２６は、前記基板４の撓みに応動して、圧縮及び復元を繰り返すことで、前記シャンプーを前記各連通部２１，２２から吸引したり吐出したりさせるようになっている。なお、前記収容体２６は、実施例では弾性体である連続気泡型の発泡ポリウレタンや発泡ゴム等から成る合成スポンジ或いは海綿（即ち天然スポンジ）等によって形成されている。また、前記収容体２６の中心部には、前記中心軸線Ｘに沿って貫通孔２６Ａが形成されている。そして、この貫通孔２６Ａを通して、前記フック受け部４Ｂと前記フック１７Ａが接続できるように構成されている。
【００３４】
次に、上記構成について、その作用を説明する。まず使用者は、前記装置本体２を裏返し、前記枠体６に前記収容体２６を乗せた後、前記フック１７Ａを、前記収容体２６の貫通孔２６Ａを通して前記ブラシ部３の基板４のフック受け部４Ｂに接続し、更に、前記ブラシ部３の基板４の縁４Ａを前記枠体６の外縁６Ｃに係合させる。このようにして、前記電動式ブラシ装置１が使用可能な状態となる。
【００３５】
そして、頭皮Ｓを洗浄したりマッサージしたりする場合、使用者は、予め前記収容体２６に適量の水を含ませておく。なお、水は前記電動式ブラシ装置１を水に浸けることで、前記各連通部２４，２５を介して前記収容体２６に吸収される。そして、前記電動式ブラシ装置１を図３の状態から裏返して前記基板４の表面４Ｓを上向きとし、前記小突起２７と環状壁２８に囲まれた区域に適量のシャンプーを注ぐ。この際、前記シャンプーは、過剰に注がない限り、前記小突起２７と環状壁２８の外側の区域に流れ出すことはない。なお、少量のシャンプーは、前記第二連通部２５から前記収容体２６側に染み込む。
【００３６】
次に、前記スイッチボタン１９を操作すると、前記二次電池１８から電力が給電されることで、前記モータ１３が作動してモータ軸（図示せず）が回転する。このモータ軸の回転に伴い、このモータ軸に前記減速歯車機構１４を介して接続された前記クランク１５が回転し、このクランク１５及びこのクランク１５の偏心軸１５Ａと結合した前記ヨーク１６によって、前記モータ軸の回転運動が往復運動に変換され、前記ヨーク１６と一体に形成されたロッド１６Ａの下端に取り付けられた前記接続中継部材１７が上下に往復動する。そして、前記基板４は、前記接続中継部材１７に設けられた前記フック１７Ａに接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返し、その前記最大振幅個所における振幅は、前記クランク１５の中心軸から偏心軸１５Ａまでの偏心距離Ｆの２倍（２Ｆ）となる。
【００３７】
このように、前記基板４が下に撓んだ湾曲凸状態と上に撓んだ湾曲凹状態との間で変形を繰り返すことで、前記拡縮空間２９が圧縮、復元を繰り返すことになり、この結果、前記拡縮空間２９内の前記収容体２６は、前記基板４の撓みに応動して、圧縮と復元を繰り返す。そして、前記収容体２６が圧縮状態から復元する際に、前記拡縮空間２９が減圧状態となることで、前記環状小突起２７と環状壁２８の内側区域に注がれた前記シャンプーが前記第二連通部２５から吸引されて前記拡縮空間２９内に流入し、前記収容体２６に収容される。逆に、前記収容体２６が圧縮される際に、この収容体２６に収容された前記シャンプーは、前記第二連通部２５より噴出されることとなる。なお、前記シャンプーは、前記第二連通部２５を通して押し出される際に空気と混じり合うことで泡立つ。そして、このように前記収容体２６の変形が繰り返されることで、前記シャンプーが徐々に前記収容体２６の中央から外周側に広がってゆき、これによって、前記第一連通部２４からも、泡立てられた前記シャンプーが押し出されることになる。このように、湾曲凸状態と湾曲凹状態との間で繰り返される前記基板４の変形に応動して前記収容体２６が圧縮、復元を繰り返すことで、前記小突起２７及び環状壁２８の内側区域に注がれた前記シャンプーは、泡立てられて、前記ブラシ部３全体から外部に供給される。
【００３８】
このように、前記シャンプーが泡立てられた状態で、使用者は、前記装置本体２を把握し、前記突起５の先端部を前記頭皮Ｓに押し当てて手で保持する。これにより、主として前記突起５は、前記中心軸線Ｘを中心としてその内側方向に傾斜したり、或いはその後起立したりすることを繰り返すことで、前記頭皮Ｓを擦って洗浄したり、刺激を与えてマッサージしたりすることができる。
【００３９】
なお、洗浄又はマッサージを行う際に、頭皮Ｓに前記ブラシ部３を正対させることにより複数の前記突起５を頭皮Ｓに均等に当接させる必要があるが、使用者はこの状態を正確に視認できないので、前記装置本体２を把握した状態では、前記ブラシ部３は頭皮Ｓに対して大まかに対向する状態となる。しかしながら、前記ブラシ部３が頭皮Ｓに正対していない（前記中心軸線Ｘが頭皮Ｓに対して傾斜している）状態にあっては、矢印Ｔに示すように、前記ブラシ部３が前記装置本体２に対して前記軸８を中心に揺動することで、前記ブラシ部３が自動的に頭皮Ｓに正対した状態で当接できるようになるので、複数の前記突起５によって、頭皮Ｓを均一に洗浄したりマッサージしたりすることができる。そして、前記ブラシ部３が前記軸８を中心に揺動する際に、前記パッキン２３の上部２３Ａは、前記底板９の内周面９Ａに圧接することで、シャンプーが前記パッキン２３の外側に漏れ出すようなことがない。
【００４０】
なお、前記往復駆動手段１２が作動することで、前記覆い体１１は、繰り返し外側に押し出されたり内側に引き込まれたりする。このため、前記機構ケース３７の密閉空間３７Ａは、圧縮と膨張を繰り返し、内圧が変動する。しかしながら、前記密閉空間３７Ａは、他の空間と連通していない。このため、前記電動式ブラシ装置１を使用する環境の雰囲気に水（気液問わず）が存在したとしても、この水は、前記密閉空間３７Ａが減圧状態となった際に前記密閉空間３７Ａ内に吸引されることがない。従って、前記機構ケース３７内の往復駆動手段１２や回路基板２０等が、水によって悪影響を受けることが阻止される。
【００４１】
一方、前記二次電池１８が収容された前記電池ケース３６の内部空間３６Ａは、前記通気路４１によって外部空間と連通している。しかしながら、雰囲気中の液体状の水は、前記通気路４１内に前記多孔質材４２が設けられているので、前記通気路４１を通過できず、前記電池ケース３６内に侵入することができない。従って、前記電池ケース３６内の二次電池１８が、液体状の水によって悪影響を受けることが阻止される。なお、前述したように、前記電池ケース３６と機構ケース３７とが独立しているので、前記密閉空間３７Ａの内圧の変動は、前記内部空間３６Ａの内圧に影響を与えない。従って、前記往復駆動手段１２の作動に伴って、前記通気路４１を空気が出入りすることはない。即ち、前記通気路４１は、前記二次電池１８が正常であれば、空気が殆ど流通しない。このため、前記多孔質材４２を通過可能な気体状の水も、前記電池ケース３６の内部空間３６Ａに殆ど流入しない。そして、前述した通り、前記電池ケース３６と機構ケース３７とが独立しているので、仮に、前記内部空間３６Ａに気体状の水が流入したとしても、この気体状の水は前記密閉空間３７Ａに流入しない。このため、前記密閉空間３７Ａ内で気体状の水が結露して、前記往復駆動手段１２や回路基板２０等に悪影響を与えるということはない。
【００４２】
前記二次電池１８は、異常時にガスを発生させることがある。しかしながら、このガスは前記多孔質材４２を通過可能である。従って、前記ガスは、前記通気路４１の一次側４１Ａから二次側４１Ｂへと排出された後、前記外装ケース２Ａの隙間を通って大気中に放出される。
【００４３】
以上のように、上記実施例は、二次電池１８及びこの二次電池１８により作動する駆動機構としての往復駆動手段１２が収容された防水型ケース３０を有し、この防水型ケース３０が、前記往復駆動手段１２が収容される密閉空間３７Ａを有する機構ケース３７と、前記二次電池１８が収容される内部空間３６Ａを有し且つ多孔質材４２を介して大気開放する通気路４１が設けられた電池ケース３６とを備えると共に、前記機構ケース３７の密閉空間３７Ａと前記電池ケース３６の内部空間を独立させたことで、前記往復駆動手段１２が作動して前記密閉空間３７Ａの内圧が変動しても、この密閉空間３７Ａに気液問わず水を侵入させないようにすることができる一方、前記二次電池１８から発生したガスを外部に放出することができる。
【００４４】
また、前記防水型ケース３０の外側に外装ケース２Ａを設けたので、外装ケース２Ａを、往復駆動手段１２等の構造や形状、大きさに依らず、操作或いは把握し易い形状にすることができる等、形状、デザインの自由度を向上させることができる。
【００４５】
更に、前記機構ケース３７と前記電池ケース３６とを一体的に構成したことで、前記ケース３０の強度を高く保つことができる。
【産業上の利用可能性】
【００４６】
本発明に係る防水型電気機器は、以上の実施例に限定されるものではなく、発明の要旨の範囲内で種々の変形実施が可能である。例えば、上記実施例では、防水型電気機器として、頭皮等の洗浄及びマッサージに使用可能な電動式ブラシ装置について述べたが、これ以外の機器に適用してもよい。また、上記実施例では、駆動機構として往復駆動手段を用いたが、これ以外の形式の駆動機構を用いた機器に適用してもよい。
【符号の説明】
【００４７】
１    電動式ブラシ装置（防水型電気機器）
２Ａ  外装ケース
１２  往復駆動手段（駆動機構）
１８  二次電池
３０  防水型ケース
３６  電池ケース
３６Ａ  内部空間
３７  機構ケース
３７Ａ  密閉空間
４１  通気路
４２  多孔質材
【図１】
2011044366.tif 000003
【図２】
2011044366.tif 000004
【図３】
2011044366.tif 000005
【図４】
2011044366.tif 000006
【図５】
2011044366.tif 000007
【図６】
2011044366.tif 000008
【図７】
2011044366.tif 000009
【図８】
2011044366.tif 000010
【図９】
2011044366.tif 000011
【図１０】
2011044366.tif 000012